(57)【要約】【課題】印刷データのジョブ情報内にボタン押下によるジョブキャンセルを禁止するかどうかを示すフラグを持たせそのフラグをユーザが任意に設定できるようにすることで、他ユーザによってキャンセルされたくないジョブについて、印刷装置のボタン押下によるジョブキャンセルのみを禁止することができる機能をユーザに提供する。【解決手段】印刷装置であって情報処理装置からのジョブの投入及び印刷制御命令を受けつけボタン等の操作部を持ち前記操作部への入力によって印刷中のジョブをキャンセルする印刷装置側ジョブキャンセル手段と、情報処理装置からジョブをキャンセルする命令を受けつけることによって印刷中のジョブをキャンセルする情報処理装置側ジョブキャンセル手段と、特定の印刷ジョブに対して前記操作部による印刷装置側ジョブキャンセル手段の実行の許可／不許可を設定する印刷装置側ジョブキャンセル禁止設定手段と、を有することを特徴とする印刷装置。【選択図】        図３
2007069565.tif 000002
【特許請求の範囲】
【請求項１】
印刷装置であって、情報処理装置からのジョブの投入及び印刷制御命令を受けつけ、ボタン等の操作部を持ち前記操作部への入力によって印刷中のジョブをキャンセルする印刷装置側ジョブキャンセル手段と、情報処理装置からジョブをキャンセルする命令を受けつけることによって印刷中のジョブをキャンセルする情報処理装置側ジョブキャンセル手段と、特定の印刷ジョブに対して前記操作部による印刷装置側ジョブキャンセル手段の実行の許可／不許可を設定する印刷装置側ジョブキャンセル禁止設定手段と、を有することを特徴とする印刷装置。
【請求項２】
印刷装置のジョブ制御方法であって、情報処理装置からのジョブの投入及び印刷制御命令を受けつけ、ボタン等の操作部を持ち前記操作部への入力によって印刷中のジョブをキャンセルする印刷装置側ジョブキャンセル工程と、情報処理装置からジョブをキャンセルする命令を受けつけることによって印刷中のジョブをキャンセルする情報処理装置側ジョブキャンセル工程と、特定の印刷ジョブに対して前記操作部による印刷装置側ジョブキャンセル手段の実行の許可／不許可を設定する印刷装置側ジョブキャンセル禁止設定工程と、を有することを特徴とする印刷装置のジョブ制御方法。
【発明の詳細な説明】
【技術分野】
【０００１】
本発明は、印刷に係る技術に係る印刷装置および印刷装置のジョブ制御方法に関するものである。
【背景技術】
【０００２】
従来より、コピー、プリント、ファックス等の異なるジョブ種を１台の印刷装置で行うことができる複合機が提案されている。
【０００３】
しかしながら、様々なジョブの印刷に同様な制御（例えば、ジョブの一時停止、中止、優先順位変更等）を提供してしまうと、例えばキャンセルを行わせたくないジョブ種であっても、中止処理を受け付けてしまう障害があった。
【０００４】
そこで上記問題を解決するために、従来は、コピーのように原稿が手元にあるようなプリントジョブはキャンセル可能にし、ファックスのように手元に元情報が存在しないようなジョブに対してはキャンセルを許可しない、というようにジョブキャンセル許可／不許可の制御を行っていた。例えば特許文献１にその技術が開示されている。
【特許文献１】特開２００３−２６４６５５号公報
【発明の開示】
【発明が解決しようとする課題】
【０００５】
情報処理装置からのジョブキャンセル命令か、または印刷装置のジョブキャンセルボタン押下によってジョブをキャンセルできる印刷装置がある。
【０００６】
確実に印刷される必要があるジョブについて、他ユーザの誤操作等によって印刷装置のジョブキャンセルボタンが押下されてしまいジョブがキャンセルされることがあった。これを解決するために、従来では、ジョブごとにジョブキャンセル許可／不許可の制御を行い、確実に印刷される必要があるジョブについてはジョブキャンセルを行えなくするという手法があった。
【０００７】
しかし、この手法ではジョブを送信したユーザ自身もジョブキャンセルを行えなくなるため、ユーザの誤操作などによりジョブをキャンセルする必要が出た場合にキャンセルを行えないという問題があった。
【０００８】
そこで本発明では、他ユーザによってキャンセルされたくないジョブについて、印刷装置のボタン押下によるジョブキャンセルのみを禁止することができる機能をユーザに提供する。
【課題を解決するための手段】
【０００９】
本発明の目的を達成するために、例えば本発明の印刷装置は以下の構成を備える。
【００１０】
即ち、情報処理装置からのジョブの投入及び印刷制御命令を受けつける印刷装置において、前記印刷装置が操作部を持ち、操作部への入力によって印刷中のジョブをキャンセルする印刷装置側ジョブキャンセル手段と、情報処理装置からジョブをキャンセルする命令を受けつけることによって印刷中のジョブをキャンセルする情報処理装置側ジョブキャンセル手段と、特定の印刷ジョブに対して前記操作部による印刷装置側ジョブキャンセル手段の実行を許可／不許可を設定する印刷装置側ジョブキャンセル禁止設定手段と、を有することを特徴とする。
【００１１】
本発明の目的を達成するために、例えば本発明の印刷装置のジョブ制御方法は以下の構成を備える。
【００１２】
即ち、印刷装置のジョブ制御方法であって、情報処理装置からのジョブの投入及び印刷制御命令を受けつけ、ボタン等の操作部を持ち前記操作部への入力によって印刷中のジョブをキャンセルする印刷装置側ジョブキャンセル工程と、情報処理装置からジョブをキャンセルする命令を受けつけることによって印刷中のジョブをキャンセルする情報処理装置側ジョブキャンセル工程と、特定の印刷ジョブに対して前記操作部による印刷装置側ジョブキャンセル手段の実行の許可／不許可を設定する印刷装置側ジョブキャンセル禁止設定工程と、を有することを特徴とする。
【発明の効果】
【００１３】
確実に印刷したいジョブが誤ってジョブキャンセルされることがなくなる。
【００１４】
さらに、情報処理装置からのジョブキャンセルは行えるため、印刷を中止する必要が出た場合には、ジョブをキャンセルすることができる。
【発明を実施するための最良の形態】
【００１５】
以下、図面を参照して本発明の実施形態を詳細に説明する。
【実施例】
【００１６】
図１は、本実施形態に係る印刷装置と、この印刷装置に印刷データを送信する情報処理装置とで構成される印刷システムの外観を示す図である。同図において１０１は情報処理装置で、１０２は本実施形態に係る印刷装置である。情報処理装置１０１は印刷装置１０２に対して印刷データを送信し、印刷装置１０２はこの印刷データに基づいて記録媒体上に画像や文字を形成する。印刷装置１０２はインクジェットプリンタ、レーザビームプリンタ（以下、ＬＢＰ）等の様々な印刷形式のものを用いることができる。本実施形態ではＬＢＰであるとするが、請求項における印刷装置はＬＢＰに限定されるものではない。
【００１７】
図２は上記ＬＢＰの概略構造を示した断面図である。
【００１８】
図２においては、２０１は記録媒体である用紙、２０２は用紙２０１を保持する用紙カセットである。２０３はカセット給紙クラッチであり、用紙カセット２０２上に置かれた用紙２０１の最上位の用紙１枚のみを分離する。この給紙カセット２０３は、カム形状を融資、不図示の駆動手段によって給紙の度に回転することにより、この分離に伴い用紙の先端部を給紙ローラ２０４の位置まで搬送するものであり、１回転に対応して１枚の用紙を給紙する。給紙ローラ２０４は、用紙が給紙クラッチ２０３によって搬送されてくると、用紙２０１を軽く押圧しながら回転し、用紙２０１を搬送する。
【００１９】
一方、２２２は用紙台、２２１は手差し給紙クラッチであり、これら構成により、上述した用紙カセット２０２からの給紙だけでなく、給紙台２２２から１枚ずつ手差し給紙することを可能にする。
【００２０】
２０５は転写ドラム、２０６は用紙の先端を挟み込むグリッパ、２０７は搬送ローラである。印刷時には、転写ドラム２０５は所定の速度で回転しており、その回転により転写ドラム２０５上のグリッパ２０６が用紙先端位置に来ると、グリッパは用紙先端部を挟み込む。このことと用紙搬送ローラ２０７の回転によって、用紙２０１は転写ドラム２０５に巻きつけられてさらに搬送される。
【００２１】
２０８は感光ドラム、２０９は現像器支持部、２１０はイエロー（Ｙ）、トナー現像器、２１１はマゼンダ（Ｍ）トナー現像器、２１２はシアン（Ｃ）トナー現像器、２１３はブラック（ＢＫ）トナー現像器である。現像器指示部２０９は回転し、これにより所望の色トナーの現像器を、感光ドラム２０８に対し現像できる位置に搬送する。
【００２２】
２１４はレーザドライバである。レーザドライバ２１４は、図３、もしくは図４の印刷制御部から送出されるドットデータに応じて不図示の半導体レーザのオン／オフを行いながら感光ドラム２０８上を主走査線方向に走査して主走査ライン上に潜像を形成する。感光ドラム２０８はこの潜像形成と転写ドラム２０５上の用紙２０１の位置との同期がとれるよう回転駆動される。すなわち、不図示の帯電器により帯電された感光ドラム２０８の表面は上述のレーザビームの露光によって１ページ分の潜像が形成される。この感光ドラム２０８条の潜像は、現像器２１０、２１１、２１２、２１３の中の所定の色トナーの現像器によってトナー像として現像された後、転写ドラム２０５上の用紙２０１に前記トナー像が転写される。
【００２３】
さらに、必要な色トナーの下図だけ上述と同様の動作によって、転写ドラム２０５上の用紙２０１にトナー像が重ねられる。必要なトナー象が転写された用紙２０１は、転写分離つめ２１６によって転写ドラム２０５から分離され、一対の定着ローラ２１７、２１７’によってトナー像が加熱定着され、搬送ローラ２１８、２１８’、および２１９を経て排紙トレイ２２０に排紙される。
２２３は濃度センサであり、所定のタイミングで感光ドラム２０８上に形成されるＹＭＣＫそれぞれのパッチのトナー像の濃度を検知する。
【００２４】
２２４はパネルであり、ボタン等を備えユーザからの入力操作を可能とする。
【００２５】
２２５は開閉可能なカバーであり、２２６は印刷装置全体の制御を行うコントローラである。
【００２６】
図３は本発明の一実施形態のモジュール構成を示すブロック図である。３０１は図１の１０１で示した情報処理装置であり、内部にアプリケーション３０２、ドライバ３０３、スプーラ３０４、ランゲージモニタ３０５、ポートモニタ３０６、ステータスウィンドウ３０７を持つ。３０２は印刷する文書などを作成する為のアプリケーションであり、作成された文章や画像のデータが後述する印刷の対象となる。そして情報処理装置１０１を扱うユーザが印刷指示をすることで、ユーザがアプリケーション３０２を用いて作成した文章や画像のデータがプリンタドライバ３０３に送出される。なお、このプリンタドライバ３０３は当然、印刷装置１０２に対するものである。
【００２７】
３０３はプリンタドライバであり、アプリケーション３０２が出した印刷指示を受けて印刷データと印刷制御データをまとめて印刷ジョブを作成し、プリントスプーラ３０４へと送信する。ここで印刷ジョブとは、印刷制御情報であるジョブ情報と、実際に印刷される印刷データとで構成される。また、印刷装置側ジョブキャンセル手段の実行の許可／不許可を設定するためのチェックボックスを持つ。さらに、印刷ジョブを作成する際に、印刷装置側ジョブキャンセル禁止設定手段であるジョブキャンセル禁止フラグをジョブ情報内に作り、前記チェックボックスのＯＮ／ＯＦＦを前記ジョブキャンセル禁止フラグのＯＮ／ＯＦＦに反映させる。
【００２８】
プリントスプーラ３０４は送られてきた印刷ジョブを管理し、順次ランゲージモニタ３０５へと送る。
【００２９】
ランゲージモニタ３０５は印刷ジョブをページ単位に管理し、印刷データ及び制御データをポートモニタ３０６に転送する。また、ポートモニタがコントローラより取得した情報を取得する。
【００３０】
ポートモニタ３０６はデバイスＩＤの管理やポートを使用しているプリンタの管理を行い、指定されたプリンタに、ランゲージモニタ３０５から送られてきたデータを転送する。また、コントローラに記憶された情報を取得する。
【００３１】
ステータスウィンドウ３０７はホストコンピュータの画面上に表示されたダイアログであり、プリンタの状態を表示する表示部と、ユーザからの入力を受け付けるボタン等の操作部を持つ。表示部ではランゲージモニタ３０５より送られてきたプリンタの状態を表示し、操作部に対してユーザから入力が有れば、入力内容をランゲージモニタ３０５に通知する。なお本実施例では、前記ステータスウィンドウの操作部に、情報処理装置側ジョブキャンセル手段として、本情報処理装置が送信した印刷ジョブが印刷装置にて印刷実行中である場合にのみ押下可能になるジョブキャンセルボタンが用意されており、これを押下することにより情報処理装置から印刷装置へジョブキャンセル命令が出される。
【００３２】
３０８は図１の１０２で示したＬＢＰであり、内部にコントローラ３０９とエンジン３１０、操作部３１１を持つ。
【００３３】
コントローラ３０９は、受け取った印刷データの転送、および制御データに従った印刷制御、エンジン制御を行う。
【００３４】
エンジン３１０はコントローラ３０９より送られてきた印刷データの印刷を行う。また、コントローラより送られてきた制御コマンドに従い、各種制御を実行する。
【００３５】
操作部３１１は、各種入力を行うための操作ボタン群を備えており、入力があった場合に入力内容をコントローラ３０９に伝える。なお、本実施例では、印刷装置側ジョブキャンセル手段として、前記操作部にジョブキャンセルボタンが用意されている。
【００３６】
図４のフローチャートは、本発明の実施例における処理の流れを示している。
【００３７】
ステップ４０１より本処理は開始される。ステップ４０１ではユーザがアプリケーションより印刷を行うための印刷ダイアログを起動する。なお本実施例では、前記印刷ダイアログとは、一般的なＷｉｎｄｏｗｓ(登録商標)アプリケーションで印刷行おうとした際に表示されるダイアログを指す。なお、図５は前記印刷ダイアログの一例である。
【００３８】
次にステップ４０２において、ユーザは印刷装置ジョブキャンセル禁止機能のＯＮ／ＯＦＦを設定することができる。前記設定は、前記印刷ダイアログよりプリンタドライバのプロパティを呼び出し、プロパティ内に用意されたジョブキャンセル禁止機能のチェックボックスにチェックを付ける（ＯＮ）／付けない（ＯＦＦ）で行うことができる。
【００３９】
ステップ４０３において、ユーザが印刷ダイアログでＯＫを押下することで、印刷実行が指示される。
【００４０】
ステップ４０４において、前記印刷装置ジョブキャンセル禁止機能がＯＮとＯＦＦのどちらに設定されているかを調べる。ＯＮならステップ４０５へ移行し、ＯＦＦならステップ４０６へ移行する。
【００４１】
ステップ４０５では、印刷ジョブのジョブ情報内に、印刷装置側ジョブキャンセル禁止設定手段として用意された、キャンセル禁止フラグをＯＮにして、ステップ４０７へ移行する。
【００４２】
ステップ４０６では、印刷ジョブのジョブ情報内に、印刷装置側ジョブキャンセル禁止設定手段として用意された、キャンセル禁止フラグをＯＦＦにして、ステップ４０７へ移行する。
【００４３】
ステップ４０７では、情報処理装置が作成した印刷ジョブを、情報処理装置から印刷装置に送信する。
【００４４】
ステップ４０８では、印刷装置において、印刷ジョブ中のページの印刷が開始される。
【００４５】
ステップ４０９では、印刷実行中に印刷装置に対してジョブキャンセルが指示されたかを判定する。ジョブキャンセルが指示されていなければステップ４１０へ、指示されていればステップ４１３へ移行する。
【００４６】
ステップ４１０では、ページの印刷が終了したかを判定する。終了していればステップ４１１へ、終了していなければステップ４０９へ移行する。
【００４７】
ステップ４１１では、印刷ジョブ内の全ページの印刷が終了したかを判定する。終了したならステップ４１２へ、終了していなければ未印刷のページを印刷するためにステップ４０８へ移行する。
【００４８】
ステップ４１２では、印刷を終了し、フローチャート記載の一連の処理を終える。
【００４９】
ステップ４１３では、印刷装置のジョブキャンセルボタンが押下されたのか、情報処理装置からジョブキャンセル命令が来たのかを判定する。ジョブキャンセルボタンが押下されたのならステップ４１４へ、そうでなければステップ４１６へ移行する。
【００５０】
ステップ４１４では、ジョブ情報内にあるジョブキャンセル禁止フラグがＯＮかＯＦＦかを判定する。ＯＮならステップ４１５へ、ＯＦＦならステップ４１６へ移行する。
【００５１】
ステップ４１５では、印刷装置からのジョブキャンセルが禁止されたジョブであるので、ジョブキャンセルボタンの押下を無効にして印刷を続行し、ステップ４１０へ移行する。
【００５２】
ステップ４１６では、ジョブキャンセルが実行される。現在印刷中のページと印刷ジョブ内の未印刷のページについて印刷が中止され、ステップ４１２へ移行する。
【００５３】
以上より、本実施形態によれば、確実に印刷したいジョブが誤ってジョブキャンセルされることがなくなる。さらに、情報処理装置からのジョブキャンセルは行えるため、ジョブキャンセルする必要が出た場合にジョブをキャンセルすることができる。
【００５４】
［その他の実施例］
前記実施例では、ランゲージモニタやステータスウィンドウを用いて印刷が実行される、いわゆるホストベースの印刷システムを用いているが、本発明はホストベースに限らず、いわゆるページ記述言語を用いたプリンタであっても、ホストコンピュータから印刷の再開を指示できるような機能さえあれば有効である。
【００５５】
また、前記実施例ではＷｉｎｄｏｗｓ(登録商標)アプリケーションで印刷を実行しようとした際に表示される印刷ダイアログより、プリンタドライバのプロパティを表示し、プロパティ内に用意されたチェックボックスを操作することで、印刷装置側ジョブキャンセル手段の実行の許可／不許可を設定したが、本発明はこれに限るものではない。ホストコンピュータ上で、印刷装置側ジョブキャンセル手段の実行の許可／不許可を設定できる機能さえあれば、本発明は有効である。
【図面の簡単な説明】
【００５６】
【図１】本発明の第１の実施形態に係る印刷装置と、この印刷装置に印刷データを送信するコンピュータとで構成される印刷システムの外観を示す図である。
【図２】本発明の第１の実施形態に係る印刷装置の基本構成を示す図である。
【図３】本発明の一実施形態のモジュール構成を示すブロック図である。
【図４】本発明の一実施形態の処理手順を示すフローチャートである。
【図５】本発明の一実施形態における印刷ダイアログである。
【符号の説明】
【００５７】
１０１  情報処理装置
１０２  印刷装置
２０１  記録媒体である用紙
２０２  用紙カセット
２０３  カセット給紙クラッチ
２０４  給紙ローラ
２０５  転写ドラム
２０６  グリッパ
２０７  搬送ローラ
２０８  感光ドラム
２０９  現像器支持部
２１０  イエロー（Ｙ）、トナー現像器
２１１  マゼンダ（Ｍ）トナー現像器
２１２  シアン（Ｃ）トナー現像器
２１３  ブラック（ＢＫ）トナー現像器
２１４  レーザドライバ
２１７、２１７’  定着ローラ
２１８、２１８’、２１９  搬送ローラ
２２０  排紙トレイ
２２１  手差し給紙クラッチ
２２２  用紙台
２２３  濃度センサ
２２４  パネル
２２５  カバー
２２６  コントローラ
３０１  情報処理装置
３０２  アプリケーション
３０３  ドライバ
３０４  スプーラ
３０５  ランゲージモニタ
３０６  ポートモニタ
３０７  ステータスウィンドウ
３０８  ＬＢＰ
３０９  コントローラ
３１０  エンジン
３１１  操作部
【図１】
2007069565.tif 000003
【図２】
2007069565.tif 000004
【図３】
2007069565.tif 000005
【図４】
2007069565.tif 000006
【図５】
2007069565.tif 000007